(57)【特許請求の範囲】
【請求項１】
上下のデッキボードと該デッキボード同志を接続する複数の中空柱状部材とからなり、上下のデッキボードと中空柱状部材によって囲まれる空間をフォーク差込口とした合成樹脂製四方差しパレットにおいて、上面デッキボードを、外表面側を板状体とし、その板状体内面に縦横に交差した補強リブを設けた構造とし、相隣り合った中空柱状部材の間の下面デッキボード部分を、内表面側を板状体とし、その板状体外面に縦横に交差した補強リブを設けた構造とするか、又は互いに縦横に交差する複数本の棒状体とした構造とし、中空柱状部材に相当する下面デッキボードを、棒状体同士の間及び中空柱状部材の側壁と棒状体との間に中空柱状部材の内外を貫通する開口を設けた構成とし、この開口に面する棒状体の側面を傾斜面としたことを特徴とする合成樹脂製四方差しパレット。
【発明の詳細な説明】
【０００１】
【発明の属する技術分野】
本発明は合成樹脂製四方差しパレットに関する。詳しくは、水産物等、取扱い時に多量の水が掛かるような作業に用いたり、汚れを落すために水洗いしたりしても、その後の水切れが良く、すぐに乾燥して衛生的な合成樹脂製四方差しパレットに関する。
【０００２】
【従来の技術】
合成樹脂は、木材、金属等に比べ成形が容易、衛生的、腐食しない、錆ない等の特徴を有する反面、合成樹脂自体の強度は木材、金属等に比べ劣るため、パレット等の強度の必要な製品を合成樹脂で作る場合には構造的に強度を補っている。
すなわち、合成樹脂パレットの場合、そのデッキボード部分を、パレットの外表面を構成する表面板状体の内面に縦横に補強リブを設けて補強したり、曲げに対して強い断面コ字形の棒状体でデッキボード部分を構成したりしている。
【０００３】
【発明が解決しようとする課題】
しかしながら、このような、表面板状体に補強リブを設けた構造や、断面コ字系のリブで構成した合成樹脂パレットの場合、下部と側部が壁で囲繞され、上方が開放した構造、すなわち、水や埃が溜まりやすい構造部分が形成されてしまう欠点を生起する。
【０００４】
【課題を解決するための手段】
本発明者等は上記のような合成樹脂製パレットの欠点を解消すべく、種々検討を行なった結果、上下のデッキボードの構造を夫々特定の構造とすることにより、水がかかったり、埃が付着しても容易に洗浄、乾燥可能な合成樹脂製のパレットが得られることを見出した。
【０００５】
本発明の要旨は、上下のデッキボードと該デッキボード同志を接続する複数の中空柱状部材とからなり、上下のデッキボードと中空柱状部材によって囲まれる空間をフォーク差込口とした合成樹脂製四方差しパレットにおいて、上面デッキボードを、外表面側を板状体とし、その板状体内面に縦横に交差した補強リブを設けた構造とし、相隣り合った中空柱状部材の間の下面デッキボード部分を、内表面側を板状体とし、その板状体外面に縦横に交差した補強リブを設けた構造とするか、又は互いに縦横に交差する複数本の棒状体とした構造とし、中空柱状部材に相当する下面デッキボードを、棒状体同士の間及び中空柱状部材の側壁と棒状体との間に中空柱状部材の内外を貫通する開口を設けた構成とし、この開口に面する棒状体の側面を傾斜面としたことを特徴とする合成樹脂製四方差しパレットに存する。
【０００６】
【発明の実施の形態】
以下本発明の合成樹脂製四方差しパレットの一例を図面を用いて説明する。
図１は本発明のパレットの一例の上面側を示す斜視図、図２は図１に示したパレットの裏面側を示す斜視図、図３は図１のＡ−Ａ断面図、図４は本発明のパレットの他の例を示す図３と同様の図面、図５、図６は本発明のパレットの中空柱状部材の一例の縦断面図。
図中１はパレット、２，２′は上、下デッキボード、３，３′は中空柱状部材、４はフォーク差込口、５は板状体、６は補強リブ、７はフォーク差込孔が交差する部分に相当する下面デッキボード部分、８は開口、９は相隣り合った柱状部材の間の下面デッキボード部分、１０は棒状体、１１は板状体、１２は補強リブ、１３は開孔をそれぞれ示す。
【０００７】
本発明のパレット１は上下デッキボード２，２′と該上下デッキボード２，２′同志を接続する複数の中空柱状部材３，３′…とからなり、上下デッキボード２，２′と複数の中空柱状部材３，３′…によって囲まれる空間をフォーク差込口４とした四方差し、すなわち、四方からフォークリフト等のフォークを差し込んで作業することができるパレットであって、上下のデッキボード２，２′及び中空柱状部材３，３′…を各々特定の構造としたものである。
【０００８】
上面デッキボード２は図１、図３に示すように、その外表面側すなわち荷物を積載する側を板状体５で構成し、その内面すなわち、フォーク差込口に面する板状体５の面には縦横に交差した補強リブ６を設けた構造としてある。
板状体５には図１に示すように適宜の数の開孔１３を設けても良く、また板状体５の荷物積載面や、補強リブ６のフォーク当接部にはゴムやエチレン−酢酸ビニル共重合体等で形成された滑り止め材を嵌合、溶着、接着等の適宜の手段で設けることができる。
【０００９】
下面デッキボード２′は、図２、図３に示すように、フォーク差込孔の交差する部分に相当する部分７を開放した構造としてある。
下面デッキボード２′の相隣り合った中空柱状部材３，３′…の間の部分９は、図４に示すように、その内表面側、すなわち、フォーク差込口４に面する側を板状体１１とし、その外面、すなわち、パレット１の外表面側に縦横に交差した補強リブ１２を設けた構造とするか、又は図３に示すように互いに縦横に交差する複数本の棒状体１０で構成する。
【００１０】
中空柱状部材３，３′…は中空のブロック状の形態を有し、上下面のデッキボード２，２′を接続し、中空柱状部材３，３′…同志の間にフォーク差込口４が形成される。中空柱状部材３，３′…の内部には、フォークリフト等のフォークが当接することがあることを考慮し、高さの低い補強リブや、デッキボード２，２′の上下に達する仕切壁状の補強板１４等が適宜設けられる。
【００１１】
この中空柱状部材３，３′…は、通常上下のパレット形成部材を溶着することにより一体化されるので、密閉された中空構造となるが、本発明の場合は、密閉構造とせず、中空柱状部材３，３′…の相当する下面デッキボード２′に内外を貫通する開口８を設けてある。
このような構造とすることにより中空柱状部材３，３′…の内部を水等で洗浄することが可能となり衛生上大変好ましい。
【００１２】
また、中空柱状部材３，３′…を密閉状態に形成した場合、フォーク等の当接により中空柱状部材３，３′…に小さな亀裂が生じたときに、この亀裂から水が侵入して中空柱状部材３，３′…中に滞留したりすることがあったが、本発明の中空柱状部材３，３′…は下部に開口８があるので、このような問題が起きることはない。
【００１３】
開口８としては、図５に示すように下面デッキボードに単に孔を設けたものが考えられるが、この構造だと、ゴミが付着し易いアンダーカット部分が形成されるので、図６に示すように開口８に面する側壁や棒状体１０の側面を傾斜面又は垂直面として水分やゴミが滞留し難い構造としておくのが良い。
開口８は、中空柱状部材３，３′…内に設けられたリブや仕切壁によって囲繞されて水等が溜まる形状となる部分の全ての部分に設けられることが好ましいが、開口８を囲繞部分の一部にしか設けない場合、リブや仕切壁の一部を切り欠いて隣接する開口８を設けていない囲繞部と開口８を設けた囲繞部とを接続し、水等が伝わり出るような構造としても良い。
【００１４】
このようにすることにより、大変水はけの良いごみの溜まりにくい構造となる。水はけの良いごみの溜まりにくい構造とするには、例えば下面デッキボードを、前述の上面デッキボードと同じように外面側を板状体とし、内面側に補強リブを設けた構造とし、板状体と補強リブによって囲まれた水の溜まり易い部分に全て水ぬき用の孔を設けることも考えられるが塵や埃は完全には取除けず、衛生上問題が残り望ましくない。
【００１５】
また、上、下デッキボードを両者とも上述した下面デッキボードのように棒状体で構成することも考えられ、水はけや、埃が溜まることを防止する上では望ましいが、上面デッキボードの表面積が少なくなり、荷物との接触面積の確保、強度等の点から望ましくない。
なお、隣り合う柱状部材３，３…の間の下面デッキボード９であっても、パレット１の側縁部に位置する下面デッキボード部分は強度の上から板状体１１と補強リブ１２とからなる構造が好ましく、パレット１の側縁部に位置しない部分すなわち、パレットの中央部の柱状部材とパレットの側辺の中間部の柱状部材との間の下面デッキボード部分９は掃除のし易さから棒状体を交差させた構造とするのが良い。
【００１６】
また、本発明のパレットは、荷物を積載する上面デッキボード２の外表面側が概ね平であるので、小さな荷物を多数並べて積載してもがたつくようなことがない。
【００１７】
【発明の効果】
このように本発明のパレットは水はけが大変良好で、ごみが付着し難くかつ小さな荷物や、傷つきやすかったり、つぶれやすかったりする荷物を良好に取扱うことができるパレットであり、実用上大変良好なパレットである。
【図面の簡単な説明】
【図１】本発明のパレットの一例の斜視図。
【図２】図１に示したパレットの裏面の斜視図。
【図３】Ａ−Ａ断面図。
【図４】他の例を示す断面図。
【図５】中空柱状部材の一例の縦断面図。
【図６】中空柱状部材の一例の縦断面図。
【符号の説明】
１    パレット
２，２′    上、下デッキボード
３，３′    中空柱状部材
４    フォーク差込口
５    板状体
６    補強リブ
８    開口
１０    棒状体
１１    板状体
１２    補強リブ
１３    開口
【図１】
0004016458.tif 000002
【図２】
0004016458.tif 000003
【図３】
0004016458.tif 000004
【図４】
0004016458.tif 000005
【図５】
0004016458.tif 000006
【図６】
0004016458.tif 000007